(57)【要約】【課題】簡単な操作で確実に袋口１００を開くことのできる母乳保存袋１０を提供すること【解決手段】母乳バック１０の切込１０ｋから上端の溶着部１０ａを切り破って袋口１００を形成し、帯片１２，１３の左右両端を一方の手の指で押さえながら、摘み片１４を他方の手の指で摘んで引っ張って袋口１００を開き、開いた袋口１００から母乳を充填する。母乳を袋口１００から充填した後、保護紙１６を剥し、帯片１２，１３を巻き込むようにして袋口１００を閉じ、巻き込み部１０ｍを粘着テープ１５に粘着して袋口１００を閉じる。【選択図】　　図３
2004059085.tif 000002
【特許請求の範囲】
【請求項１】
２枚のフィルムを重ね、上下両端と左右両側をヒートシールにより溶着して密封した柔軟扁平な袋体に形成し、該袋体の上端の左右両側に切り破りにより袋口を形成するための切込を設けると共に、左右の切込を結ぶ直線の下方に硬質プラスチック製の帯片を表裏両側に前記直線とほぼ平行に固着し、表側の帯片の下方に帯片とほぼ平行に両面粘着テープを貼着し、テープに保護紙を被着した母乳保存袋において、表裏両帯片のうち裏側の帯片の中心部に摘み片を連結したことを特徴とする母乳保存袋。
【請求項２】
前記表側の帯片の中心部に縦の折曲線を形成したことを特徴とする請求項１に記載の母乳保存袋。
【請求項３】
前記袋体の表面に母乳保存量を示す目盛りを印刷したことを特徴とする請求項１又は請求項２に記載の母乳保存袋。
【発明の詳細な説明】
【０００１】
【発明の属する技術分野】
本発明は搾乳具で搾り取った母乳を入れて密閉保存する母乳保存袋に関する。
【０００２】
【従来の技術】
母乳保存袋の一形式として、２枚のフィルムを重ね、上下両端と左右両側をヒートシールにより溶着して密封した柔軟扁平な袋体に形成し、袋体の上端の左右両側に切り破りにより袋口を形成するための切込を設け、左右の切込を結ぶ直線の下方に硬質プラスチック製の帯片を表裏両側に固着し、表側の帯片の下方に帯片と平行に両面粘着テープを貼着し、テープに保護紙を被着したものが知られている。
この母乳保存袋を使うときは、切込から切り破って袋口を形成し、帯片の左右両端部を指で押さえる。すると帯片が湾曲して袋口が開くので、袋口から母乳を充填する。その後、帯片を巻き込むようにして袋口を折り重ね、巻き込み部が解けないように、保護紙を剥がして粘着テープに巻き込み部を粘着して袋口を閉じる。
【０００３】
【発明が解決しようとする課題】
ところで、従来の母乳保存袋は、帯片の左右両端を押さえたときに表裏の帯片が互いに離れて袋口の外側へ湾曲すれば、うまく袋口が開くが、２枚のフィルムの密着度が高いと、一方の帯片が他方の帯片に密着したまま湾曲するので、うまく袋口が開かず、使い勝手がはなはだ悪い。
本発明はかかる問題点に鑑み、簡単な操作で確実に袋口を開くことのできる母乳保存袋を提供することを目的とする。
【０００４】
【課題を解決するための手段】
請求項１に記載の発明は、２枚のフィルムを重ね、上下両端と左右両側をヒートシールにより溶着して密封した柔軟扁平な袋体に形成し、該袋体の上端の左右両側に切り破りにより袋口を形成するための切込を設けると共に、左右の切込を結ぶ直線の下方に硬質プラスチック製の帯片を表裏両側に前記直線とほぼ平行に固着し、表側の帯片の下方に帯片とほぼ平行に両面粘着テープを貼着し、テープに保護紙を被着した母乳保存袋において、表裏両帯片のうち裏側の帯片の中心部に摘み片を連結したことを特徴とする。
請求項２に記載の発明は請求項１に記載の母乳保存袋において、前記表側の帯片の中心部に縦の折曲線を形成したことを特徴とする。
請求項３に記載の発明に係る母乳保存袋は請求項１又は請求項２に記載の母乳保存袋において、前記袋体の表面に母乳保存量を示す目盛りを印刷したことを特徴とする。
【０００５】
【発明の作用・効果】
本発明に係る母乳保存袋の袋口を開くには、切込から切り破って袋口を形成し、次に一方の手の指で帯片の左右両端を押さえながら、他方の手の指で摘み片を引っ張る。摘み片を引っ張ると、２枚のフィルムが強く密着していても、一方の帯片が外側へくの字に湾曲して他方の帯片から離れる。
とくに本発明では、表側の帯片ではなくて裏側の帯片に摘み片を連結している。表側の帯片に摘み片を連結した場合、袋体の表側には両面粘着テープが貼着されているため、摘み片を引っ張っても両面粘着テープの上端から袋体が折れ曲がってしまい、袋口が開き難い。これに対し本発明では両面粘着テープが貼着されていない袋体裏側の帯片に摘み片を連結したので、摘み片を引っ張ったとき袋体が両面粘着テープの上端から折れ曲がり難く、確実に袋口を開くことができる。そのため、母乳バックの使い勝手が良くなる。
また、表側の帯片の中心部に縦の折曲線を形成することにより、帯片の両端部を押さえたとき帯片が折曲線から折れ曲がるので、より確実に帯片が湾曲して袋口を開くことができる。
さらに、袋体に目盛りを印刷したので、母乳の保存量がわかり使い勝手が一層よくなる。
【０００６】
【発明の実施の形態】
以下に本発明を図面に基づき説明するに、図１は本発明の一実施形態に係る母乳保存袋１０を示す正面図、図２は同母乳保存袋を示す中央部縦断断面図である。図１及び図２に示すように、当該母乳袋１０は伸延性の２枚のフィルム１１，１１を重ね、上下両端１０ａ，１０ｂと左右両側１０ｃ，１０ｄをヒートシールにより溶着して密封した柔軟偏平な袋体形状を有する。ヒートシールにより形成した上下及び左右の溶着部１０ａ〜１０ｄのうち、左右の溶着部１０ｃ，１０ｄの中間部に内側へ突出する山形の溶着部１０ｅを形成して袋体内部に上下の非溶着幅広部１０ｆ，１０ｇと、これらを連通する非溶着狭窄部１０ｈを形成している。また母乳保存袋１０の右側縁１０ｃの下部にテーパ部１０ｉを形成して袋の下端部を先細りに形成している。
【０００７】
上端の溶着部１０ａの直下には左右一対の切込１０ｋが形成されている。左右の切込１０ｋを結ぶ直線の下に、この直線とほぼ平行にフィルムに比べて硬質のプラスチック製帯片１２，１３が袋の表裏両面に重なるように貼着されている。表側の帯片１２の中心部には縦の折曲線１２ａが形成され、裏側の帯片１３の中心部に摘み片１４が連結されている。この摘み片１４は袋体を構成するフィルム１１と同材質のものを使用し、袋体１０に接着しその上から帯片１３が接着されている。非溶着狭窄部１０ｈに重なるように袋体の表側に両面粘着テープ１５が帯片１２とほぼ平行に袋体表面に貼着され、該テープ１５に保護紙１６を貼着して粘着面を保護している。袋体の先細り部の左側縁には切込１０ｊが形成されている。袋体の非溶着幅広部１０ｇの表面には母乳保存量を示す目盛り線１０ｌが印刷されている。
【０００８】
本実施形態に係る母乳保存袋１０の構造は以上の通りであって、母乳を蓄えるには、図３に示すように、母乳バック１０の切込１０ｋから上端の溶着部１０ａを切り破って袋口１００を形成し、帯片１２，１３の左右両端を一方の手の指で押さえながら、摘み片１４を他方の手の指で摘んで引っ張って袋口１００を開き、開いた袋口１００から母乳を充填する。
【０００９】
母乳を袋口１００から充填した後、図４に示すように、保護紙１６を剥し、帯片１２，１３を巻き込むようにして袋口１００を閉じ、巻き込み部１０ｍを粘着テープ１５に粘着して袋口１００を閉じる。また、哺乳時には袋下部の切込１０ｊから切り破って、注ぎ口を形成する。
【図面の簡単な説明】
【図１】本発明の一実施形態に係る母乳保存袋を示す一部破断した正面図である。
【図２】同母乳保存袋を示す中央部縦断断面図である。
【図３】同母乳保存袋の使用方法を示す斜視図である。
【図４】同母乳保存袋の袋口を閉じた状態を示す斜視図である。
【符号の説明】
１０…母保存袋、１００…袋口、１１…フィルム、１２，１３…帯片、１２ａ…折曲線、１４…摘み片、１５…両面粘着テープ、１６…保護紙。
【図１】
2004059085.tif 000003
【図２】
2004059085.tif 000004
【図３】
2004059085.tif 000005
【図４】
2004059085.tif 000006